(57)【特許請求の範囲】
【請求項１】
ドラッグ・アンド・ドロップ操作の始点から終点までの経路を読み取る読取手段と、
画像情報を含む複数のソースファイルについて、そのソースファイル各々に対応するサムネイルを画面上に複数表示し、前記読取手段で読み取られたドラッグ・アンド・ドロップ操作の始点に対応する第１のサムネイルを、そのドラッグ・アンド・ドロップ操作の終点まで移動表示する表示手段と、
前記表示手段により移動表示される第１のサムネイルと、前記画面上に表示される第２のサムネイルとの重なり方を検出し、前記第１のサムネイルと前記第２のサムネイルに重なりがないことを検出したときには前記２つのサムネイルの各々に対応するソースファイルに編集を施さず、前記第１のサムネイルと前記第２のサムネイルに重なりがあることを検出したときには前記２つのサムネイルの各々に対応するソースファイルに、その重なりの相対的な位置関係に応じて予め定められた異なる連結編集を施し、連続して再生される形式に編集するファイル編集手段と
を備えたことを特徴とするソースファイル編集装置。
【請求項２】
請求項１に記載のソースファイル編集装置において、
前記ファイル編集手段は、前記第１のサムネイルのコーナーと前記第２のサムネイルの所定位置との位置関係に応じて異なる連結編集を施す
ことを特徴とするソースファイル編集装置。
【請求項３】
請求項１または請求項２のいずれか１項に記載のソースファイル編集装置において、
前記読取手段は、
表面に接触する接触体の位置を検出するタッチパネルである
ことを特徴とするソースファイル編集装置。
【請求項４】
請求項１ないし請求項３のいずれか１項に記載のソースファイル編集装置において、
前記ファイル編集手段は、
前記画面上で重なり合う前記第１のサムネイルと前記第２のサムネイルとについて、左側に位置するサムネイルと右側に位置するサムネイルとを識別する第１の識別手段と、
前記第１の識別手段により識別された結果に基づいて、右側に位置するサムネイルに対応するソースファイルを、左側に位置するサムネイルに対応するソースファイルの後に時間的に連結させ、これら２つのソースファイルが順番に再生される形式に連結編集を施すファイル連結手段と
を備えたことを特徴とするソースファイル編集装置。
【請求項５】
請求項１ないし請求項４のいずれか１項に記載のソースファイル編集装置において、
前記ファイル編集手段は、
前記画面上で重なり合う前記第１のサムネイルと前記第２のサムネイルとについて、上側に位置するサムネイルと下側に位置するサムネイルとを識別する第２の識別手段と、
前記第２の識別手段により識別された結果に基づいて、前記第１のサムネイルが前記第２のサムネイルに対し上側に位置する場合には、前記第１のサムネイルに対応するソースファイルがフェードアウトで再生された後に、前記第２のサムネイルに対応するソースファイルが連続して再生される形式に連結編集を施し、前記第１のサムネイルが前記第２のサムネイルに対し下側に位置する場合には、前記第２のサムネイルに対応するソースファイルが再生された後に、前記第１のサムネイルに対応するソースファイルがフェードインで連続して再生される形式に連結編集を施す特殊連結手段と
を備えたことを特徴とするソースファイル編集装置。
【請求項６】
請求項１ないし請求項５のいずれか１項に記載のソースファイル編集装置において、
前記第１のサムネイルと前記第２のサムネイルとが重なり合うとき、その時点で前記ファイル編集手段が施す連結編集の内容を教示する教示手段を備えた
ことを特徴とするソースファイル編集装置。
【発明の詳細な説明】
【０００１】
【発明の属する技術分野】
本発明は、編集対象となりうるソースファイル同士を編集するソースファイル編集装置であり、特に、ソースファイルをサムネイル表示し、そのサムネイルを直感的に操作することで、ソースファイル同士を多様な連結編集するソースファイル編集装置に関する。
なお、ソースファイルとは、編集対象となりうるファイルであれば、その情報の形態、実体を問うものではない。例えば、ソースファイルとして画像ファイル、音声ファイル等が考えられるが、ここでは、説明の簡便化のため、画像ファイルを中心に説明する。
また、本発明を説明する上の連結編集とは、編集対象である複数のファイルを結合し、１つのファイルを作ることを基本にしたものである。また、このとき、結合前のファイルを無くして、１つのファイルに置き換えるものでも、ソースファイルを残したまま、新たに編集したファイルを作成するものであってもよい。
【０００２】
【従来の技術】
近年では、パーソナルコンピュータ上で高度な画像編集を行うソフトが利用されている。例えば、米国Adobe社製”Premiere”等が知られている。
図１５は、この種の動画像編集ソフトを使用した画像編集の作業画面である。操作者は、表示領域５１上において、以下の手順で動画像の編集作業を行う。まず、メニューバー５２を用いて、編集を行う動画像ファイルを記憶媒体内から選択する。
【０００３】
このように選択された動画像ファイルがウィンドウ５３に一覧表示される。操作者は、これらの動画像ファイルの中から、編集対象とすべき動画像ファイルを逐一選択する。
画像表示ウィンドウ５４には、ウィンドウ５３で選択された動画像ファイルの内容が表示される。
【０００４】
操作者は、このように選択された動画像ファイルに対し、コントロールボタン５５を介して再生、停止、記憶、貼付等の操作を行う。
また、操作者は、ウィンドウ５３上の動画像ファイルをタイムテーブル５６上へ繰り返しドラッグする。このような操作により、タイムテーブル５６上に並べられた複数の動画像ファイルは、連続して再生される形式に編集される。
【０００５】
【発明が解決しようとする課題】
このように、従来の画像編集ソフトでは、画像表示ウィンドウ５４で再生される動画像を、コントロールボタン５５を用いて、タイムテーブル５６に貼り付けるなどの操作を繰り返すことにより、画像編集が行われていた。
【０００６】
したがって、従来の画像編集ソフトでは、複数のウィンドウを一画面上に同時に表示しなければならず、小型の表示画面では実現することが困難であった。
特に、携帯用の小型なソースファイル編集装置では、個々のウィンドウが極端に小さく表示されるため、個々の画像が見づらくなり、操作者は画像を判別することが難しいという問題点があった。
【０００７】
また、ウィンドウ５３上の動画像ファイルリストが小さく表示されるため、動画像ファイルの選択操作が困難になるという問題点があった。
特に、タッチパネルなどを用いて、動画像ファイルを選択するようなケースでは、指先の指示域が広いため、選択操作を正確に素早く行うことができないという問題点があった。
【０００８】
また、複数のウィンドウを駆使して編集作業を行わなければならないため、編集作業の習熟に一層の時間がかかるという問題点があった。
特に、初心者にとって、複数のウィンドウを駆使する作業は、複雑かつ煩雑な作業となるため、初心者が多様な画像編集を行うことは非常に困難であった。
請求項１に記載の発明は、上述の問題点を解決するために、簡単な操作でソースファイルに多様な連結編集を施すことができ、かつ小さな編集画面でも確実に操作することのできるソースファイル編集装置を提供することを目的とする。
【０００９】
請求項２に記載の発明は、請求項１の目的と併せて、サムネイルのコーナーともう一つの別のサムネイルの所定位置との位置関係に応じて予め定められた連結編集をこれらの２つのサムネイルの各々に対応するソースファイルに施すことができるソースファイル編集装置を提供することを目的とする。
請求項３に記載の発明は、請求項１または請求項２の目的と併せて、より携帯性に優れたソースファイル編集装置を提供することを目的とする。
請求項４に記載の発明は、請求項１〜３の目的と併せて、直感的な操作で２つのソースファイルを確実に連結することができるソースファイル編集装置を提供することを目的とする。
【００１０】
請求項５に記載の発明は、請求項１〜４の目的と併せて、簡単な操作でソースファイルにフェードインまたはフェードアウトの効果を適宜加えることができるソースファイル編集装置を提供することを目的とする。
請求項６に記載の発明は、請求項１〜５の目的と併せて、操作者が連結編集を行うときに、その編集内容を即座に把握することができるソースファイル編集装置を提供することを目的とする。
【００１１】
【課題を解決するための手段】
図１は、請求項１ないし請求項３に記載の発明の原理ブロック図である。
請求項１に記載の発明は、ドラッグ・アンド・ドロップ操作の始点から終点までの経路を読み取る読取手段１と、画像情報を含む複数のソースファイルについて、そのソースファイル各々に対応するサムネイルを画面上に複数表示し、読取手段１で読み取られたドラッグ・アンド・ドロップ操作の始点に対応する第１のサムネイルを、そのドラッグ・アンド・ドロップ操作の終点まで移動表示する表示手段２と、表示手段２により移動表示される第１のサムネイルと、画面上に表示される第２のサムネイルとの重なり方を検出し、第１のサムネイルと第２のサムネイルに重なりがないことを検出したときにはこれらの２つのサムネイルの各々に対応するソースファイルに編集を施さず、第１のサムネイルと第２のサムネイルに重なりがあることを検出したときにはこれらの２つのサムネイルの各々に対応するソースファイルに、その重なりの相対的な位置関係に応じて予め定められた異なる連結編集を施し、連続して再生される形式に編集するファイル編集手段３とを備えて構成する。
【００１２】
請求項２に記載の発明は、請求項１に記載のソースファイル編集装置において、ファイル編集手段３は、第１のサムネイルのコーナーと第２のサムネイルの所定位置との位置関係に応じて異なる連結編集を施すことを特徴とする。
請求項３に記載の発明は、請求項１または請求項２に記載のソースファイル編集装置において、読取手段１は、表面に接触する接触体の位置を検出するタッチパネルであることを特徴とする。
図２は、請求項４に記載の発明の原理ブロック図である。
請求項４に記載の発明は、請求項１ないし請求項３に記載のソースファイル編集装置において、ファイル編集手段３は、画面上で重なり合う第１のサムネイルと第２のサムネイルとについて、左側に位置するサムネイルと右側に位置するサムネイルとを識別する第１の識別手段４と、第１の識別手段４により識別された結果に基づいて、右側に位置するサムネイルに対応するソースファイルを、左側に位置するサムネイルに対応するソースファイルの後に時間的に連結させ、これら２つのソースファイルが順番に再生される形式に連結編集を施すファイル連結手段５とを備えて構成する。
【００１３】
図３は、請求項５に記載の発明の原理ブロック図である。
請求項５に記載の発明は、請求項１ないし請求項４に記載のソースファイル編集装置において、ファイル編集手段３は、画面上で重なり合う第１のサムネイルと第２のサムネイルとについて、上側に位置するサムネイルと下側に位置するサムネイルとを識別する第２の識別手段６と、第２の識別手段６により識別された結果に基づいて、第１のサムネイルが第２のサムネイルに対し上側に位置する場合には、第１のサムネイルに対応するソースファイルがフェードアウトで再生された後に、第２のサムネイルに対応するソースファイルが連続して再生される形式に連結編集を施し、第１のサムネイルが第２のサムネイルに対し下側に位置する場合には、第２のサムネイルに対応するソースファイルが再生された後に、第１のサムネイルに対応するソースファイルがフェードインで連続して再生される形式に連結編集を施す特殊連結手段７とを備えて構成する。
【００１４】
図４は、請求項６に記載の発明の原理ブロック図である。
請求項６に記載の発明は、請求項１ないし請求項５のいずれか１項に記載のソースファイル編集装置において、第１のサムネイルと第２のサムネイルとが重なり合うとき、その時点でファイル編集手段３が施す連結編集の内容を教示する教示手段８を備えて構成する。
【００１５】
（作用）
請求項１に記載のソースファイル編集装置では、表示画面の全体にわたって、サムネイル（画像の縮小表示、または部分表示）が配列表示される。
なお、表示される画像が元々小さい場合や、１画面に１画像表示する場合などでは、縮小表示または部分表示する必要がない。この場合は、縮小表示せずに、そのまま表示することもサムネイル表示に含まれる。また、動画像の場合では、動画像の１シーン（１フレーム）について縮小表示または部分表示したものをサムネイルという。
【００１６】
操作者は、タッチパネル（またはマウスなど）を使用して、画面上のサムネイルに対し、ドラッグ・アンド・ドロップ操作を行う。
一般に、ドラッグ・アンド・ドロップ操作はマウスに対して行う操作で、マウスボタンを押しながら動かし（ドラッグ）、所定の位置でマウスボタンを放す（ドロップ）一連の操作のことをいうが、この操作はタッチパネルにも適用できる。この場合、タッチパネルに指（またはペン）で触れ、触れた状態で指を動かし（ドラッグ）、所定の位置でタッチパネルから指を離す（ドロップ）という一連の操作に相当する。
【００１７】
読取手段１は、操作者のドラッグ・アンド・ドロップ操作の始点位置から終点位置までの経路を読み取る。なお、ドラッグ・アンド・ドロップ操作の経路には、ドラッグ・アンド・ドロップ操作の始点位置および終点位置だけを読み取る場合も含まれる。
操作者が画面上のサムネイルに対してドラッグ操作を開始すると、ドラッグ操作の始点位置に対応するサムネイルは、そのドラッグ操作に追従して移動表示される。
【００１８】
ファイル編集手段３は、移動表示される第１のサムネイルと、画面上に表示されている第２のサムネイルとが重なり合うと、その重なり方を検出する。
さらに、ファイル編集手段３は、２つのサムネイルの重なり方に応じて予め定められている連結編集を施し、２つのサムネイルの各々に対応するソースファイルを時間的に連結させ、連続して再生される形式に編集する。
【００１９】
したがって、操作者は１回のドラッグ・アンド・ドロップ操作を行うことにより、サムネイル画面上の少なくとも２つのソースファイルを直感的に連結編集することができる。
請求項３に記載のソースファイル編集装置では、読取手段１はタッチパネルである。このタッチパネルに対し、操作者は指またはペンなどでドラッグ・アンド・ドロップ操作を行う。したがって、タッチパネルを使用することでソースファイル編集装置の対話性が高くなり、初心者でも高度の編集を行うことができる。
【００２０】
請求項４に記載のソースファイル編集装置では、第１の識別手段４は画面上で重なり合っている第１、第２のサムネイルについて、どちらのサムネイルが右側に位置するサムネイルか、左側に位置するサムネイルかを識別する。
ファイル連結手段５は、左側にあるサムネイルに対応するソースファイルの次に、右側にあるサムネイルに対応するソースファイルが順番に再生される形式に、２つのソースファイルを編集する。
【００２１】
請求項５に記載のソースファイル編集装置では、第２の識別手段６は、画面上で重なり合っている第１、第２のサムネイルについて、どちらのサムネイルが上側に位置するサムネイルか、下側に位置するサムネイルかを識別する。
第１のサムネイルが第２のサムネイルに対して、上側に位置する場合には、特殊連結手段７は、第１のサムネイルに対応する第１のソースファイルがフェードアウトで再生される形式に、第１のソースファイルを編集する。さらに、第２のサムネイルに対応する第２のソースファイルを、第１のソースファイルの後に連続的に再生される形式に編集する。
【００２２】
第１のサムネイルが第２のサムネイルの下側に位置する場合には、特殊連結手段７は、第１のソースファイルがフェードインで再生される形式に第１のソースファイルを編集する。さらに、第２のソースファイル、次に第１のソースファイルの順で再生される形式に編集する。
請求項６に記載のソースファイル編集装置では、操作者がドラッグ・アンド・ドロップ操作を行い、２つのサムネイルが重なり合うと、その時点で施される連結編集の内容が、画面上の２つのサムネイルの近傍に、説明文などで表示される。
【００２３】
【発明の実施の形態】
以下、図面を用いて本発明の実施形態を説明する。
図５は、第１の実施形態（請求項１〜４に記載の発明に対応する）の構成図である。
図５において、本体２１にはＭＰＵ２２が配置されている。ＭＰＵ２２はデータバス２３を介して、主記憶メモリ２４、画像処理部２５、表示部２６およびタッチパネル２７と接続される。タッチパネル２７は感圧式、抵抗膜式、光位置検出式などのいずれの方式でもよい。また、タッチパネル２７の代わりにマウスを使用してもよい。
【００２４】
記録媒体２９は着脱部２８を介して、データバス２３と接続されているため、本体２１から取り外し可能になっている。なお、記録媒体２９としては磁気記録媒体、光記録媒体、光磁気記録媒体または半導体記録媒体が使用できる。
一方、画像処理部２５の入力端子は撮像部３０の出力端子と接続される。
なお、請求項１〜３に記載の発明と、第１の実施形態との対応関係については、読取手段１はタッチパネル２７およびにＭＰＵ２２に対応し、表示手段２はＭＰＵ２２の表示制御部および表示部２６に対応し、ファイル編集手段３はＭＰＵ２２のファイル編集部に対応する。
【００２５】
請求項４に記載の発明と、第１の実施形態との対応関係については、第１の識別手段４およびファイル連結手段５はＭＰＵ２２に対応する。
図６は、第１の実施形態の動作を説明する流れ図である。
図９〜図１２はサムネイル表示画面を説明する図である。
以下、第１の実施形態の動作を図５、図６、図９〜図１２を用いて説明する。
【００２６】
撮像部３０は外部の映像を光電変換し、画像信号を画像処理部２５に出力する。
画像処理部２５はその画像信号をデジタル変換処理、データ圧縮および符号化処理をする。
画像処理部２５で処理された画像信号は画像ファイルとして、記録媒体２９で保存される。なお、ここでは、記録媒体２９に保存される画像ファイルは全て動画像ファイルとする。
【００２７】
一方、ＭＰＵ２２の表示制御部は、記録媒体２９に記録される複数の動画像ファイルを読み取り、それぞれの動画像ファイルの先頭シーンについてサムネイルを作成し、一覧表示する（図６のステップＳ１）。図９では、６つの動画像ファイルのサムネイルがサムネイルＡ〜Ｆとして表示されている。
このとき、ＭＰＵ２２は各画像ファイルについて、動画像ファイル、静止画像ファイル等の画像ファイルの種別、画像データ量、フレーム数、作成日、題名等の諸属性を取得する。例えば、この属性を書き込み禁止属性にすれば、誤操作による画像ファイルの削除を防ぐことができる。
【００２８】
操作者が指（またはペン）でタッチパネル２７に触れると、ＭＰＵ２２はその位置を検出し（図６のステップＳ２）、その位置がサムネイル上にあるかを判断する（図６のステップＳ３）。
ＭＰＵ２２は、検出位置がサムネイル上にあると判断すると、操作者がそのサムネイルおよびそのサムネイルに対応する動画像ファイルを選択したと判断し、選択されたサムネイルの表示枠を、ハイライト表示する（図６のステップＳ４）。図１０は、サムネイルＣが選択された様子を示す。
【００２９】
操作者はタッチパネル２７に触れた状態で指を動かす（ドラッグ操作を行う）と、図１１に示すように、サムネイルＣも追従して移動する。なお、操作者がタッチパネルを介してサムネイルを操作することは、周知技術であるＧＵＩ（Graphical User Interface）などを利用するので、ここでの説明を省略する。
操作者がタッチパネル２７から指を離す（ドロップ操作を行う）と、ＭＰＵ２２はその位置を検出する（図６のステップＳ５）。
【００３０】
ＭＰＵ２２は、検出した位置に基づいて、２つのサムネイルの重なり方を判断する（図６のステップＳ６）。ここでは、サムネイルＣおよびサムネイルＢの画面上の表示位置から、サムネイルＣがサムネイルＢの左側に位置して重なっているか、右側に位置して重なっているか、それ以外の状態かを判断する。
【００３１】
サムネイルＣが、サムネイルＢの左側に位置して重なっているときは、サムネイルＣに対応する動画像ファイルＣの後に、サムネイルＢに対応する動画像ファイルＢが連続再生される形式に、２つ動画像ファイルを連結編集する（図６のステップＳ７）。これは、ＭＰＵ２２のファイル編集部が、２つの動画像ファイルを連結した動画像ファイルを、新たに作成することで実現できる。
【００３２】
サムネイルＣが、サムネイルＢの右側に位置して重なっているときは、動画像ファイルＢの後に、動画像ファイルＣが連続再生される形式に、２つ動画像ファイルを連結編集する（図６のステップＳ８）。
それ以外のときは、編集を行わないで終了する。
なお、主記憶メモリ１３は編集中の一時的なデータの保存に使用される。
【００３３】
このように、第１の実施形態では、ドラッグ・アンド・ドロップ操作という直感的かつ簡単な操作で、ファイルの連結という高度な編集作業を行うことができる。
次に、第２の実施形態（請求項１〜３および５に記載の発明に対応する）について説明する。
【００３４】
第２の実施形態の構成図は、第１の実施形態の構成図（図５）と同一のため、同じ参照番号を付与して示し、ここでの説明を省略する。
なお、請求項１〜３に記載の発明と、第２の実施形態との対応関係については、第１の実施形態で述べた対応関係と同様の対応関係を持つ。
請求項５に記載の発明と、第２の実施形態との対応関係については、第２の識別手段６および特殊連結手段７は、ＭＰＵ２２に対応する。
【００３５】
図７は、第２の実施形態の動作を説明する流れ図である。
また、図１３はサムネイル表示画面を説明する図である。
以下、第２の実施形態の動作を図５、図７、図９〜図１１、図１３を用いて説明する。
【００３６】
撮像部３０は外部の映像を光電変換し、画像信号を画像処理部２５に出力する。
画像処理部２５はその画像信号をデジタル変換処理、データ圧縮および符号化処理をする。
画像処理部２５で処理された画像信号は画像ファイルとして、記録媒体２９で保存される。なお、ここでは、記録媒体２９に保存される画像ファイルは全て動画像ファイルとする。
【００３７】
一方、ＭＰＵ２２の表示制御部は、記録媒体２９に記録される動画像ファイルを読み取り、各々の動画像ファイルに対応するサムネイルを、図９に示すように表示する（図７のステップＳ１）。
このとき、ＭＰＵ２２は各動画像ファイルについて、動画像ファイル、静止画像ファイル等の画像ファイルの種別、画像データ量、フレーム数、作成日、題名等の諸属性を取得する。
【００３８】
操作者が指（またはペン）でタッチパネル２７に触れると、ＭＰＵ２２はその位置を検出し（図７のステップＳ２）、その位置がサムネイル上にあるかを判断する（図７のステップＳ３）。
ＭＰＵ２２は、検出位置がサムネイル上にあると判断すると、操作者がそのサムネイルおよびそのサムネイルに対応する動画像ファイルを選択したと判断し、選択されたサムネイルの表示枠を、ハイライト表示する（図７のステップＳ４）。ここでは、図１０に示すようにサムネイルＣが選択され、ハイライト表示される。
【００３９】
操作者はタッチパネル２７に触れた状態で指を動かす（ドラッグ操作を行う）と、サムネイルＣも、図１１に示すように追従して移動する。
操作者がタッチパネル２７から指を離す（ドロップ操作を行う）と、ＭＰＵ２２はその位置を検出する（図７のステップＳ５）。
【００４０】
ＭＰＵ２２は、検出した位置に基づいて、２つのサムネイルの重なり方を判断する（図７のステップＳ６）。ここでは、サムネイルＣがサムネイルＢの上側に位置して重なっているか、下側に位置して重なっているか、それ以外の状態かを判断する。
図１３に示すように、サムネイルＣが、サムネイルＢの上側に位置して重なっているときは、サムネイルＣに対応する動画像ファイルＣがフェードアウトで再生された後に続いて、サムネイルＢに対応する動画像ファイルＢが連続再生される形式に、２つの動画像ファイルを編集する（図７のステップＳ７）。これは、ＭＰＵ２２のファイル編集部が、動画像ファイルＣがフェードアウトで再生される形式のファイルに、動画像ファイルＢが通常再生される形式のファイルを結合させたファイルを新たに作成することで実現できる。
【００４１】
サムネイルＣが、サムネイルＢの下側に位置して重なっているときは、動画像ファイルＢが再生された後に、動画像ファイルＣがフェードインで連続再生される形式に、２つの動画像ファイルを編集する（図７のステップＳ８）。
それ以外のときは、編集を行わないで終了する。
なお、主記憶メモリ１３は編集中の一時的なデータの保存に使用される。
【００４２】
このように第２の実施形態のソースファイル編集装置では、ドラッグ・アンド・ドロップ操作という直感的かつ簡単な操作で、フェードインまたはフェードアウト効果を加えた連結編集を行うことができる。
次に、第３の実施形態（請求項１〜３および６に記載の発明に対応する）について説明する。
【００４３】
第３の実施形態の構成図は、第１の実施形態の構成図（図５）と同一のため、同じ参照番号を付与して示し、ここでの説明を省略する。
なお、請求項１〜３に記載の発明と、第３の実施形態との対応関係については、第１の実施形態で述べた対応関係と同様の対応関係を持つ。
【００４４】
請求項６に記載の発明と、第３の実施形態との対応関係については、教示手段８は、ＭＰＵ２２および表示部２６に対応する。
図８は、第３の実施形態の動作を説明する流れ図である。
図１４は、サムネイル表示画面を説明する図である。
以下、第３の実施形態の動作を図５、図８、図９〜図１１、図１４を用いて説明する。
【００４５】
撮像部３０は外部の映像を光電変換し、画像信号を画像処理部２５に出力する。
画像処理部２５はその画像信号をデジタル変換処理、データ圧縮および符号化処理をする。
画像処理部２５で処理された画像信号は画像ファイルとして、記録媒体２９で保存される。なお、ここでは、記録媒体２９に保存される画像ファイルは全て動画像ファイルとする。
【００４６】
一方、ＭＰＵ２２の表示制御部は、記録媒体２９に記録される動画像ファイルを読み取り、各々の動画像ファイルに対応するサムネイルを、図９に示すように表示する（図８のステップＳ１）。
このとき、ＭＰＵ２２は各画像ファイルについて、動画像ファイル、静止画像ファイル等の画像ファイルの種別、画像データ量、フレーム数、作成日、題名等の諸属性を取得する。
【００４７】
操作者がタッチパネル２７に指で触れると、ＭＰＵ２２はその位置を検出し（図８のステップＳ２）、サムネイル上にあるかを判断する（図８のステップＳ３）。
ＭＰＵ２２は、検出位置がサムネイル上にあると判断すると、操作者がそのサムネイルおよびそのサムネイルに対応する動画像ファイルを選択したと判断し、そのサムネイルの表示枠をハイライト表示する（図８のステップＳ４）。ここでは、図１０に示すようにサムネイルＣが選択され、ハイライト表示される。
【００４８】
操作者はタッチパネル２７に触れた状態で指を動かす（ドラッグ操作を行う）と、サムネイルＣも、図１１に示すように追従して移動する（図８のステップＳ５、ステップＳ６）。
ＭＰＵ２２は、移動表示されるサムネイルが、画面表示される別のサムネイルに重なっているか否かを判断する（図８のステップＳ７）。ここでは、サムネイルＣとサムネイルＢとが重なっているか否かを判断する。
【００４９】
２つのサムネイルが重なっていないときは、ステップＳ５に戻り、ＭＰＵ２２は、ドラッグ操作が続いているかを判断する。
２つのサムネイルが重なっているときは、ＭＰＵ２２は、移動表示されるサムネイルの４つのコーナーの中で、別のサムネイルと重なっているコーナーを検出し、ハイライト表示する。図１４では、サムネイルＣの第１のコーナーがサムネイルＢと重なっているので、第１のコーナーをハイライト表示する。また、このとき、サムネイルＢ上には４つのターゲットを表示する（図８のステップＳ８）。
【００５０】
さらに、ＭＰＵ２２は、検出されたコーナーとどのターゲットが最も近いかを判断し、その最も近いターゲットをハイライト表示する。
ＭＰＵ２２には、検出されたコーナーとそのコーナーに最も近いターゲットとの関係によって、予め編集内容が設定されている。ＭＰＵ２２は、２つのサムネイルが重なり合うと、サムネイル表示画面の下部にその編集内容を表示する（図８のステップＳ９）。
【００５１】
ここでは、第１のコーナーが第１のターゲットの近傍にあるときは、第１のコーナーを持つサムネイル（ここではサムネイルＣ）の動画像ファイルが、フェードアウトで再生された後に続いて、第１のターゲットを持つサムネイル（ここではサムネイルＢ）の動画像ファイルが再生される形式に、２つの動画像ファイルを編集することが設定されている。
【００５２】
また、第２のコーナーが第２のターゲットの近傍にあるときは、サムネイルＣに対応する動画像ファイルが再生された後に、サムネイルＢに対応する動画像ファイルがフェードインで再生される形式に、２つの動画像ファイルを編集する。さらに、第３のコーナーが第３のターゲットの近傍にあるときは、サムネイルＢに対応する動画像ファイルが、フェードアウトで再生された後に、サムネイルＣに対応する動画像ファイルが再生される形式に、２つの動画像ファイルを編集する。
【００５３】
また、第４のコーナーが第４のターゲットの近傍にあるときは、サムネイルＢに対応する動画像ファイルが再生された後に、サムネイルＣに対応する動画像ファイルがフェードインで再生される形式に、２つの動画像ファイルを編集する。以上のように、４つのコーナー、４つのターゲットの場合では、ＭＰＵ２２には１６通りの編集が設定可能である。
【００５４】
ＭＰＵ２２は、２つのサムネイルが重なった状態でドロップ操作があるか否かを判断する（図８のステップＳ１０）。ドロップ操作がないときは、ステップＳ５に戻り、ドラッグ操作が続いているかを判断する。ドロップ操作があるときは、その時点でのコーナーとターゲットとの位置関係を判断し、その位置関係に対応した編集を行う（図８のステップＳ１１）。
【００５５】
ここでは、サムネイルＣの第１のコーナーが、サムネイルＢの第１のターゲットの近傍にあるので、動画像ファイルＣがフェードアウトで再生された後に、動画像ファイルＢが、連続して再生される形式に２つの動画像ファイルを編集する。
このように、第３の実施形態のソースファイル編集装置では、ドラッグ・アンド・ドロップ操作という１つの操作で、多様な編集を適時行うことができる。
【００５６】
なお、上述した第１〜第３の実施形態では、ドラッグ・アンド・ドロップ操作を行う手段として、タッチパネル２７もしくはマウスを想定しているが、それに限定されるものではない。例えば、カーソルキーや十字キーを使用してもドラッグ・アンド・ドロップ操作を行うことができる。
【００５７】
また、上述した第１〜第３の実施形態では、撮像部３０で撮像した画像を扱っているが、それに限定されない。例えば、外部から画像データを読み込んでもよい。
さらに、上述した第１〜第３の実施形態では、１回のドラッグ・アンド・ドロップ操作で２つのサムネイルを選択したが、それに限定されない。例えば、連続して、複数回ドラッグ・アンド・ドロップ操作を行うことで、３つ以上のサムネイルを選択できるようにしてもよい。
【００５８】
なお、上述した実施形態では、２つの動画像ファイルの編集として、連結、フェードイン、フェードアウトを挙げたが、それに限定されるものではない。その他の編集としては、２つの動画像ファイルにオーバーラップ、クロマキー、ワイプ等の特殊効果を加えて連続再生するように、２つの動画像ファイルを編集してもよい。
【００５９】
また、それ以外の連結編集としては、静止画像ファイルと動画像ファイルとについて連結編集を施す場合には、コーナーとターゲットとの位置関係によって、静止画像ファイルの再生時間を変化させて動画像ファイルと連結させてもよい。例えば、第１のコーナーが第１のターゲットの近傍にあるときは、静止画像ファイルが１秒間再生されて動画像ファイルと連結され、第２のコーナーが第２のターゲットの近傍にあるときは、静止画像ファイルが２秒間再生されて動画像ファイルと連結される等、各様に設定されてもよい。
【００６０】
また、上述した実施形態では、サムネイルが重なり合ったときの位置によって、連結編集の内容が決定されたが、それに限定されるものではない。例えば、サムネイルが重なり合うときの方向（上側から重なる、下側から重なる、右側から重なる、左側から重なる、斜め側から重なる）などに基づいて編集内容が決定されてもよい。
【００６１】
また、第１の実施形態では、動画像ファイルの先頭シーンについてサムネイルを自動的に作成したが、これに限定されるものではない。例えば、操作者が動画像ファイルの任意のシーンを選択し、それをサムネイル表示してもよい。
さらに、第３の実施形態では、４つのターゲットを考えたが、それに限定されるものではない。ターゲットはサムネイル上のどの位置に存在してもよいし、その数も限定されるものではない。
【００６２】
また、第３の実施形態では、編集内容が予め設定されていたが、それに限定されず、操作者が任意に編集内容を設定できてもよい。
さらに、第３の実施形態では、編集内容を画面上に表示しているが、それに限定されず、音声で教示してもよい。
【００６３】
【発明の効果】
請求項１に記載のソースファイル編集装置では、サムネイルを配列した単一画面のみを表示すればよいので、複数のウィンドウを同時に表示する必要がなく、表示スペースを有効に活用することができる。
【００６４】
特に、携帯用の小型なソースファイル編集装置では、画面の全域にわたって、サムネイルを表示することができるので、個々のサムネイルを可能な限りに、大きく表示することができる。
したがって、サムネイルが見やすくなり、操作者は画像を容易に判別することができる。
【００６５】
また、サムネイルを可能な限り大きく表示できるので、サムネイルの選択を正確かつ迅速に行うことができる。
特に、タッチパネルなどを使用する場合には、指先の指示域が広いため、本発明の選択方式が好適である。
また、１回のドラッグ・アンド・ドロップ操作で少なくとも２つのソースファイルを選出することができるので、選出のための操作手順が従来に比べて半減される。
【００６６】
したがって、操作性を格段に高めつつ、編集に所要する時間を大幅に短縮することができる。
また、サムネイルを配列した単一画面上で操作を行うことができるので、複数のウィンドウを駆使する必要がなく、編集作業の習熟が簡単になり、習熟に所要する時間を大幅に短縮することができる。
【００６７】
さらに、ドラッグ・アンド・ドロップ操作という１つの操作法を修得すれば、操作者は随意に多様な編集を施すことができる。
請求項３に記載の発明では、操作読取手段としてタッチパネルを使用している。したがって、初めて扱う人でも直感的な操作で高度の編集作業を行うことができる。また、マウスなどの入力手段を必要としないので、携帯性に優れたソースファイル編集装置を実現することができる。
【００６８】
請求項４に記載のソースファイル編集装置では、直感的にサムネイルを重ねるという操作によって連結編集を行うことができるので、初めて扱う人にも即座に編集を行うことができる。
請求項５に記載のソースファイル編集装置では、サムネイルを重ねるという簡単な操作によって、フェードイン、フェードアウトの高度な編集を施すことができる。
【００６９】
請求項６に記載のソースファイル編集装置では、連結編集を行うときに、その時点での編集内容が表示されるので、操作者はその編集内容を即座に把握することができ、編集作業の誤りを未然に防ぐことができる。
このようにして、本発明を適用したソースファイル編集装置では、直感的かつ簡単な操作によって、高度で多様な編集作業を行うことができ、さらに、小さな表示画面においても、編集作業を確実に行うことができるので、持ち運び可能なソースファイル編集装置を実効的に実現することができる。
【図面の簡単な説明】
【図１】  請求項１〜３に記載の発明の原理ブロック図である。
【図２】  請求項４に記載の発明の原理ブロック図である。
【図３】  請求項５に記載の発明の原理ブロック図である。
【図４】  請求項６に記載の発明の原理ブロック図である。
【図５】第１の実施形態の構成図である。
【図６】第１の実施形態の動作を説明する流れ図である。
【図７】第２の実施形態の動作を説明する流れ図である。
【図８】第３の実施形態の動作を説明する流れ図である。
【図９】サムネイルの表示画面を説明する図である。
【図１０】サムネイルの表示画面を説明する図である。
【図１１】サムネイルの表示画面を説明する図である。
【図１２】サムネイルの表示画面を説明する図である。
【図１３】サムネイルの表示画面を説明する図である。
【図１４】サムネイルの表示画面を説明する図である。
【図１５】従来の動画像編集ソフトを使用した画像編集の作業画面である。
【符号の説明】
１  読取手段
２  表示手段
３  ファイル編集手段
４  第１の識別手段
５  ファイル連結手段
６  第２の識別手段
７  特殊連結手段
８  教示手段
２１  本体
２２  ＭＰＵ
２３  データバス
２４  主記憶メモリ
２５  画像処理部
２６  表示部
２７  タッチパネル
２８  着脱部
２９  記録媒体
３０  撮像部
５１  表示領域
５２  メニューバー
５３  ウィンドウ
５４  画像表示ウィンドウ
５５  コントロールボタン
５６  タイムテーブル
【図１】
0003858310.tif 000002
【図２】
0003858310.tif 000003
【図３】
0003858310.tif 000004
【図４】
0003858310.tif 000005
【図５】
0003858310.tif 000006
【図６】
0003858310.tif 000007
【図７】
0003858310.tif 000008
【図８】
0003858310.tif 000009
【図９】
0003858310.tif 000010
【図１０】
0003858310.tif 000011
【図１１】
0003858310.tif 000012
【図１２】
0003858310.tif 000013
【図１３】
0003858310.tif 000014
【図１４】
0003858310.tif 000015
【図１５】
0003858310.tif 000016